(57)【要約】  【課題】窓障子が無理にこじ開けられた場合でも、ロックピンが係合している受け具表面板のめくれ上がりを防止するとともに、受け具の変形を防止し、ロックピンが受け具から外れないように保持する。  【解決手段】窓枠又は窓障子の一方側に、施錠操作で上下動するロックピンを備える施錠操作側装置２を設けるとともに、他方側に前記ロックピン１５を受け入れる上下方向に長い係合溝４ｄが形成された表面板部４Ｄを備える受け具３を設け、窓障子を閉じた際、上記施錠操作側装置２のロックピン１５を受け具３の係合溝４ｄに嵌入／離脱させることにより窓障子の施・解錠を図る施錠装置１において、前記受け具３は、前記係合溝４ｄが形成された受け具本体４と、この受け具本体４の裏面側に重ね合わせるように一体的に設けられた補強板５とからなり、前記係合溝４ｄが形成された表面板部４Ｄと、前記補強板５とをピン部材７，７によって相互に連結する。【選択図】図２
2005248638.tif 000002
【特許請求の範囲】
【請求項１】
窓枠又は窓障子の一方側に、施錠操作で上下動するロックピンを備える施錠操作側装置を設けるとともに、他方側に前記ロックピンを受け入れる上下方向に長い係合溝が形成された表面板部を備える受け具を設け、窓障子を閉じた際、上記施錠操作側装置のロックピンを受け具の係合溝に嵌入／離脱させることにより窓障子の施・解錠を図る施錠装置において、
前記受け具は、前記係合溝が形成された受け具本体と、この受け具本体の裏面側に重ね合わせるように一体的に設けられた補強板とからなり、前記係合溝が形成された表面板部と、前記補強板とをピン部材によって相互に連結したことを特徴とする窓障子の施錠装置。
【請求項２】
前記受け具本体の両端部分にはそれぞれビス止め孔が形成されているとともに、前記補強板において前記受け具本体のビス止め孔に対応する位置にビス止め孔が形成され、これらビス孔を共に貫くビスによって窓枠又は窓障子に固定される請求項１記載の窓障子の施錠装置。
【請求項３】
前記受け具本体には前記表面板の両側縁部から連続して側板が設けられているとともに、前記補強板には前記側板の外面側に密着又は密着する程度に近接して起立補強壁が設けられている請求項１，２いずれかに記載の窓障子の施錠装置。
【発明の詳細な説明】
【技術分野】
【０００１】
本発明は、窓障子、特には開き窓障子の施錠を図るための施錠装置に関する。
【背景技術】
【０００２】
例えば下記特許文献１の[従来の技術]欄でも説明されているように、従来より、窓障子、特には開き窓障子を引き寄せながら施錠を図る施錠装置が知られている。この施錠装置は、図６に示すように、窓枠に取り付けられる本体５０と開閉可能な窓障子に取り付けられる受け具５１を有し、前記本体５０には、レバ−５２の操作で上下動するロックピン５３が設けられ、前記受け具５１には上記ロックピン５３を受け入れる挿入口５４と該挿入口５４に続いて上下方向に延びる受溝５５が設けられているものである。前記窓障子を開ける際は、上記レバー５２を図６(B)の一点鎖線の位置に移動し、ロックピン５３を上記受け具５１の挿入口に位置させる。また、閉じる際は、図６(C)に示すように、窓障子を閉じて上記受け具５１の挿入口にロックピンが入ったら、上記レバー５２を操作して該ロックピン５３を受溝５５内に移動し、窓障子を引き寄せながら図６(A)のように閉鎖する。
【０００３】
しかしながら、同図(A)に示されるように、外部から窓枠と窓障子の隙間にバ−ル等５６を差し込んで強い力でこじあけると、窓枠と窓障子の間隔が広がり、ロックピン５３が受け具５１の受溝５５から抜け出し、受け具５１との係合が外れ、窓障子が開けられるおそれがあった。また、この際、窓障子を無理に開くために、上記受け具５１の受溝５５が変形して間隔が広がったり、ロックピン５３を突設したスライダ−が変形してロックピン５３が受溝５５から一層抜け出しやすくなるなどの問題があった。
【０００４】
そこで、下記特許文献１では、図７に示されるように、窓枠若しくは窓障子の一方の部材にレバーの操作で上下動するロックピンを有する本体を設け、他方の部材には該本体のロックピンを受け入れる挿入口５８と該挿入口５８に続いて上下方向に延びる受溝５９を形成した表面板６０と、該表面板６０の両側に側板を有する受け具５７を設け、窓障子を閉じた際、上記本体のロックピンを受け具５７の挿入口５８から受溝５９内に摺動させて窓障子を引き寄せるようにした締り金具において、上記ロックピンの先端に窓障子を閉じたとき受溝５９の内側に位置するように上記受溝５９の幅より大きいフランジを設けるとともに、上記受け具５７の側板に上記両側に略コ字状の補強板６１の側壁を溶着し、上記ロックピンを突設したスライダーの前面に上記ロックピンが挿通する案内溝を有するガードプレートを形成し、上記本体を設けた側の部材に固定した締り金具が提案されている。
【特許文献１】特開２００２−１８８３３６号公報
【発明の開示】
【発明が解決しようとする課題】
【０００５】
確かに、上記特許文献１に記載される締り金具の場合には、同公報にも記載されているように、(1)閉鎖状態で、窓枠と窓障子の隙間にバ−ル等を差し込んで該窓障子を無理にあけようとすると、上記受溝５９に係合しているロックピンの先端に設けた該受溝５９の幅より広幅のフランジが受溝の内側縁に当るので、該ロックピンが受溝５９から抜け出すことはなく、上記隙間が広がらないようにできる。(2)受け具５７の受溝部の両側を補強板６１で囲んでいるので、受溝部に大きな力が作用しても該受溝５９の幅が拡開されないようにできる。(3)ガ−ドプレ−トをスライダ−の前面に設けると、上記ロックピンのフランジが受溝の内側縁に当って該ロックピンが窓障子方向に引張られてもスライダ−が変形しないようにでき、上記ロックピンが受け具の受溝から一層抜け出ないようにできる、などの効果が得られ、図６に示される従来の締り金具に比べて、バール等によるこじ開けに対して格段の防犯効果が望めるようになる。
【０００６】
しかし、窓障子が想定している力以上でこじ開けられると、表面板６０の受溝５９を形成している両側のフランジ部分がめくれ上がるように変形してロックピンが抜け出すことがある。また、前記受け具は１枚の鋼板材を切断し加工することにより製作されているため、表面板部分の剛性が小さく、全体が湾曲するように変形を起こすなどの問題があった。
【０００７】
そこで本発明の主たる課題は、窓障子が無理にこじ開けられた場合でも、ロックピンが係合している受け具表面板のめくれ上がりを防止するとともに、受け具の変形を防止し、ロックピンが受け具から外れないように保持することにある。
【課題を解決するための手段】
【０００８】
前記課題を解決するために請求項１に係る本発明として、窓枠又は窓障子の一方側に、施錠操作で上下動するロックピンを備える施錠操作側装置を設けるとともに、他方側に前記ロックピンを受け入れる上下方向に長い係合溝が形成された表面板部を備える受け具を設け、窓障子を閉じた際、上記施錠操作側装置のロックピンを受け具の係合溝に嵌入／離脱させることにより窓障子の施・解錠を図る施錠装置において、
前記受け具は、前記係合溝が形成された受け具本体と、この受け具本体の裏面側に重ね合わせるように一体的に設けられた補強板とからなり、前記係合溝が形成された表面板部と、前記補強板とをピン部材によって相互に連結したことを特徴とする窓障子の施錠装置が提供される。
【０００９】
上記請求項１記載の本発明においては、受け具本体の裏面側に重ね合わせるように一体的に補強板を設けるとともに、前記係合溝を形成している表面板部と、前記補強板とをピン部材によって相互に連結するようにした。従って、バール等によってこじ開けられても、受溝を形成している表面板がめくれ上がるように変形してロックピンが抜け出すのを確実に防止できるようになるとともに、前記補強板によって全体剛性が高まるため、全体が湾曲するように変形するのを確実に防止できるようになる。
【００１０】
請求項２に係る本発明として、前記受け具本体の両端部分にはそれぞれビス止め孔が形成されているとともに、前記補強板において前記受け具本体のビス止め孔に対応する位置にビス止め孔が形成され、これらビス孔を共に貫くビスによって窓枠又は窓障子に固定される請求項１記載の窓障子の施錠装置が提供される。
【００１１】
上記請求項２記載の本発明においては、受け具本体と共に、補強板を共通のビスによって窓枠又は窓障子に固定するようにしたため、前記ピン部材を介して補強板に伝達された力を、補強板のビス固定部によって確実に支持できるようになる。
【００１２】
請求項３に係る本発明として、前記受け具本体には前記表面板の両側縁部から連続して側板が設けられているとともに、前記補強板には前記側板の外面側に密着又は密着する程度に近接して起立補強壁が設けられている請求項１，２いずれかに記載の窓障子の施錠装置が提供される。
【００１３】
上記請求項３記載の本発明においては、前記補強板に対し、前記受け具本体に形成された側板の変形を防止するための起立補強壁を形成した。従って、バール等によってこじ開けられた際、前記係合溝の幅が拡開されないように防止できるようになる。
【発明の効果】
【００１４】
以上詳説のとおり本発明によれば、窓障子が無理にこじ開けられた場合でも、ロックピンが係合している受け具表面板のめくれ上がりを防止するとともに、受け具の変形を防止するため、前記ロックピンが受け具から外れないように確実に保持できるようになる。
【発明を実施するための最良の形態】
【００１５】
以下、本発明の実施の形態について図面を参照しながら詳述する。
図１は本発明に係る受け具３を示す、(A)は平面図、(B)は正面図、(C)は側面図であり、図２はその分解図である。
【００１６】
本施錠装置１は、窓枠又は窓障子の一方側に設けられるとともに、施錠操作で上下動するロックピン１５を備える施錠操作側装置２と、窓枠又は窓障子の他方側に設けられるとともに、前記ロックピン１５を受け入れる上下方向に長い係合溝４ｄが形成された表面板４Ｄを備える受け具３とから構成されるものである。
【００１７】
前記施錠操作側装置２は、例えば図５に示されるように、装置本体に枢着したレバー８の枢軸９にクランク１０が取り付けられており、該クランク１０の先端は板ばね１２に摺接している。上記装置本体に設けた案内条１３に摺動可能に嵌着するスライダー１４が設けられ、該スライダ−１４の内側に形成した脚１４ａ、１４ｂの間には上記クランク１０に設けたクランクピン１１が嵌入されている。また、上記スライダ−１４の外側部にはロックピン１５が突設されている。
【００１８】
上記装置では、レバ−８を回転すると、図５(A)及び同図(B)に示されるように、スライダ−１４を介して上記ロックピン１５は上下動する。該ロックピン１５の先端には、後述する受け具３の係合溝４ｄの幅よりも広幅のフランジ１５ａが設けられている。
【００１９】
一方、前記受け具３は、前記ロックピン１５の係合溝４ｄが形成された受け具本体４と、この受け具本体４の裏面側に重ね合わせるように一体的に設けられた補強板５とからなる。
【００２０】
前記受け具本体４は、詳細には図２及び図３に示されるように、１枚のステンレス鋼板等を切断し加工することにより製作された部材であり、窓枠又は窓障子へのビス固定板部となる一方側固定板部４Ａと、この一方側固定板部４Ａから連続して形成されるとともに、前記ロックピン１５が係合される係合溝４ｄが形成された表面板部４Ｄを有する施錠板部４Ｂと、この施錠板部４Ｂから連続して形成されるとともに、窓枠又は窓障子へのビス固定板部となる他方側固定板部４Ｃとから構成されている。
【００２１】
前記一方側固定板部４Ａは、端縁側にビス止め孔４ａ、４ａが形成されているとともに、中間部に部材長手方向に間隔を空けて２箇所、上面側が皿状に窪んだピン孔４ｂ、４ｂが形成されている。また、前記ピン孔４ｂ、４ｂの隣接位置には板面の剛性を上げるために部材長手方向に沿って細長形状の平面リブ４ｃ、４ｃが形成されている。
【００２２】
中間の前記施錠板部４Ｂは、裏面が開口とされる函体状の部分で、表面板部４Ｄ、該表面板部４Ｄの側縁から連続して設けられた側板部４Ｅ、４Ｅ、及び前記一方側固定板部４Ａとの接続壁部４Ｆ、前記他方側固定板部４Ｃとの接続壁部４Ｇとから構成されている。前記表面板部４Ｄには、一方端側が開口とされる前記ロックピン１５の係合溝４ｄが形成されるとともに、前記一方側固定板部４Ａとの接続壁部４Ｆの中間部分が開口とされることにより、前記ロックピン１５がこの開口側から係合溝４ｄ内に係脱自在となっている。また、前記表面板部４Ｄにおいては、前記係合溝４ｄを形成している両側の表面板部４Ｄにそれぞれピン孔４ｆ、４ｆが形成されている。なお、前記係合溝４ｄは、開口から中間部まで漸次溝幅を狭めた溝形状とされ、施錠時に前記ロックピン１５を所定位置（中央位置）に引寄せながら施錠を図るようになっている。また、前記他方側固定板部４Ｃには、ビス止め孔４ｅ、４ｅが形成されている。
【００２３】
他方、前記補強板５は、詳細には図２及び図４に示されるように、略矩形状の鋼板本体５Ａの両側縁に起立補強壁５Ｂ、５Ｂが形成された部材である。前記鋼板本体５Ａには、前記受け具本体４のビス止め孔４ａ…、４ｅ…に対応した位置に同じくビス止め孔５ａ…、５ｅ…が形成されるとともに、ピン孔４ｂ…、４ｆ…に対応した位置に同じく下面側が皿状に窪んだピン孔５ｂ…、５ｆ…が形成されている。なお、前記起立補強壁５Ｂ、５Ｂは前記受け具３の側板４Ｅ、４Ｅに対応した位置に部分的に設けられている。
【００２４】
前記受け具本体４と、補強板５とは図２に示されるように、受け具本体４の下面側に補強板５が重ね合わされ、前記受け具本体４のピン孔４ｂ、４ｂと、補強板５のピン孔５ｂ、５ｂとに挿通された連結ピン６，６の先端（挿入端側）をカシメることにより両者が一体的に結合されるようになっているとともに、前記受け具本体４のピン孔４ｆ、４ｆと、補強板５のピン孔５ｆ、５ｆとに挿通された連結ピン７，７の先端（挿入端側）をカシメることにより、受け具本体４の表面板部４Ｄと補強板５とが相互に連結されている。従って、バール等で障子がこじ開けられた際、前記連結ピン７，７によって受溝４ｄが形成されている表面板４Ｄがめくれ上がるように変形するのを確実に防止することができるとともに、前記補強板５によって受け具本体４が全体的に湾曲状に変形するのを防止することができる。
【００２５】
また、組立て状態では、補強板５の起立補強壁５Ｂ、５Ｂが、受け具本体４の側板４Ｅ、４Ｅの外面側に密着若しくは密着する程度に近接することにより、バール等で障子がこじ開けられた際、前記側板４Ｅ、４Ｅの変形を防止し、係合溝４ｄが拡開しないように保持することができる。
〔他の形態例〕
(1)上記形態例では、施錠操作側装置２として、本体にレバー８とスライダー１４とを備えた装置としたが、レバー操作部と、スライダーとが分離しており、連動部材を介して動作的に接続された施錠操作側装置としてもよい。
(2)上記形態例では、受け具本体４と補強板５との一体化に当たり、両者に挿通したピン部材(6)(7)の一端側をカシメるようにして一体化を図ったが、一方側に形成した凸部を他方側の孔部に挿通し先端をカシメるようにしてもよいし、溶接又は溶着することにより両者を一体化するようにしてもよい。
【図面の簡単な説明】
【００２６】
【図１】本発明に係る受け具を示す、(A)は平面図、(B)は側面図、(C)は正面図である。
【図２】その受け具３の分解図である。
【図３】受け具本体４を示す、(A)は平面図、(B)は正面図、(C)は側面図である。
【図４】補強板５を示す、(A)は平面図、(B)は正面図、(C)は側面図である。
【図５】施錠操作側装置２を示す、(A)は正面図、(B)は裏面図である。
【図６】従来の施錠装置を示す、(A)は窓横断面図、(B)は施錠操作側装置５０の正面図、(C)は受け具５１の正面図である。
【図７】従来の受け具５７を示す、(A)は正面図、(B)は斜視図である。
【符号の説明】
【００２７】
１…施錠装置、２…施錠操作側装置、３…受け具、４…受け具本体、５…補強板、６・７…連結ピン、８…レバー、１４…スライダー
【図１】
2005248638.tif 000003
【図２】
2005248638.tif 000004
【図３】
2005248638.tif 000005
【図４】
2005248638.tif 000006
【図５】
2005248638.tif 000007
【図６】
2005248638.tif 000008
【図７】
2005248638.tif 000009